(57)【特許請求の範囲】
【請求項１】
筐体の内外を貫通した電線を前記筐体に固定する電線固定部材であって、
装着孔を有し、その装着孔の前端開口からこの前端開口の後方に位置する後端開口に向かうにつれて軸心側に近づく傾斜面が前記装着孔の内部に形成されたシールドシェルと、
筒状をなす保持筒部を有し、その保持筒部が前記電線に外嵌された状態で前記装着孔に装着される樹脂製の抜け止め部材と、を備え、
前記保持筒部には、前記装着孔の前記傾斜面に係合することで前記装着孔の軸心側に移動し、前記電線を押圧して同電線を保持する可動片が設けられており、
前記抜け止め部材が前記装着孔に装着された状態では、前記保持筒部の後端が装着孔の後端開口から後方に突出していることを特徴とする電線固定部材。
【請求項２】
前記可動片によって前記電線を両側から挟んで保持することを特徴とする請求項１に記載の電線固定部材。
【請求項３】
前記可動片は、前記電線を中心として等角度間隔で複数設けられていることを特徴とする請求項２に記載の電線固定部材。
【請求項４】
複数の前記可動片は、４つのスリットによって分割された４つの可動片とされており、各スリットの幅を狭めるようにして前記装着孔の軸心側に移動することを特徴とする請求項３に記載の電線固定部材。
【請求項５】
前記電線を挿通させる電線挿通孔が貫通して設けられてなるハウジングと、
前記電線挿通孔に収容され、前記電線の外周面と前記電線挿通孔の内周面との間をシールするシール部材と、を備え、
前記抜け止め部材は、前記保持筒部と、前記シール部材が前記電線挿通孔に収容された状態に保持するリテーナと、を備えて構成されていることを特徴とする請求項１ないし請求項４のいずれか一項に記載の電線固定部材。
【発明の詳細な説明】
【技術分野】
【０００１】
本発明は、筐体の内外を貫通した電線を筐体に固定する電線固定部材に関する。
【背景技術】
【０００２】
この種の電線固定部材として、例えば下記特許文献１に記載のものが知られている。この電線固定部材は、ハウジングと、このハウジングの内部に装着されて電線を抜け止めする金属製の抜け止め部材と、ハウジングを覆うシールドシェルとを備え、このシールドシェルを筐体に固定することによってハウジングが固定されている。すなわち、電線は、抜け止め部材、ハウジング、およびシールドシェルの３つの部材によって筐体に固定されている。
【先行技術文献】
【特許文献】
【０００３】
【特許文献１】特開２００２−１３４９５３号公報
【発明の概要】
【発明が解決しようとする課題】
【０００４】
しかしながら、上記の構成では、金属製の抜け止め部材を電線にかしめて圧着しているため、電線が強く引っ張られるなどして、電線の絶縁被覆が破れた場合には、電線の内部に水が浸入するおそれがある。
【０００５】
本発明は上記のような事情に基づいて完成されたものであって、電線の絶縁被覆が破れて内部に水が浸入することを規制することを目的とする。
【課題を解決するための手段】
【０００６】
本発明は、筐体の内外を貫通した電線を前記筐体に固定する電線固定部材であって、装着孔を有し、その装着孔の前端開口からこの前端開口の後方に位置する後端開口に向かうにつれて軸心側に近づく傾斜面が前記装着孔の内部に形成されたシールドシェルと、筒状をなす保持筒部を有し、その保持筒部が前記電線に外嵌された状態で前記装着孔に装着される樹脂製の抜け止め部材と、を備え、前記保持筒部には、前記装着孔の前記傾斜面に係合することで前記装着孔の軸心側に移動し、前記電線を押圧して同電線を保持する可動片が設けられており、前記抜け止め部材が前記装着孔に装着された状態では、前記保持筒部の後端が装着孔の後端開口から後方に突出している構成としたところに特徴を有する。
【０００７】
このような構成によると、樹脂製の抜け止め部材を用いて電線を抜け止めしているため、電線が強く引っ張られる等しても、絶縁被覆が破れることを規制できる。したがって、電線の内部に水が浸入することを規制できる。
【０００８】
本発明の実施の態様として、以下の構成が好ましい。
可動片によって電線を両側から挟んで保持する構成としてもよい。
このような構成によると、電線をしっかりと保持することができる。
【０００９】
可動片は、電線を中心として等角度間隔で複数設けられている構成としてもよい。
このような構成によると、複数の可動片によって電線を挟むことにより、よりしっかりと電線を保持することができる。また、複数の可動片によって電線を保持することにより、電線を装着孔に対して同軸で配置しやすくなる。
【００１０】
複数の可動片は、４つのスリットによって分割された４つの可動片とされており、各スリットの幅を狭めるようにして装着孔の軸心側に移動する構成としてもよい。
このような構成によると、４つの可動片によって電線をほぼ全周に亘って覆うことができる。また、４つの可動片における電線に接触する内周面の形状を真円に近づけることができる。このため、絶縁被覆の破れを防ぎつつ、電線に対してバランス良く締め付け力を与えることができる。
【００１１】
電線を挿通させる電線挿通孔が貫通して設けられてなるハウジングと、電線挿通孔に収容され、電線の外周面と電線挿通孔の内周面との間をシールするシール部材と、を備え、抜け止め部材は、保持筒部と、シール部材が電線挿通孔に収容された状態に保持するリテーナと、を備えて構成してもよい。
このようにすると、抜け止め部材のリテーナによってシール部材を電線収容孔に保持することができる。すなわち、抜け止め部材に電線保持機能とゴム栓押さえ機能の両機能を兼備させることができる。
【発明の効果】
【００１２】
本発明によれば、電線の絶縁被覆が破れて内部に水が浸入することを規制することができる。
【図面の簡単な説明】
【００１３】
【図１】実施形態における電線固定部材を斜め後方から見た斜視図
【図２】電線固定部材を斜め後方から見た分解斜視図
【図３】電線固定部材を下方から見た分解斜視図
【図４】電線固定部材の左側面図
【図５】電線固定部材の底面図
【図６】電線固定部材の背面図
【図７】電線固定部材の内部構造を示す断面図
【図８】図７の要部拡大図
【図９】抜け止め部材を装着孔に挿入する前の状態を示す断面図
【図１０】抜け止め部材を装着孔に挿入した後の状態を示す断面図
【図１１】図９における保持筒部の断面構造
【図１２】図１０における保持筒部の断面構造
【発明を実施するための形態】
【００１４】
＜実施形態＞
本発明の実施形態を図１ないし図１２の図面を参照しながら説明する。本実施形態における電線固定部材１０は、図１に示すように、複数の電線Ｗ（本実施形態では一対の電線Ｗ，Ｗ）を貫通させた状態で保持した上で、筐体（図示せず）にボルト止めされることによって、筐体の内外を貫通した電線Ｗを筐体に固定する部材である。電線Ｗの端末には、絶縁被覆を皮剥ぎすることで芯線が露出されており、この露出された芯線に端子金具Ｔが接続されている。この端子金具Ｔは、いわゆる丸端子であって、円孔が穿設された平板状で丸形の接続部Ｔ１と、芯線に圧着されるバレル部Ｔ２とを備えて構成されている。
【００１５】
電線固定部材１０から端子金具Ｔまでの間には、十分な長さを持った電線Ｗが配設されている。この電線Ｗは可撓性を有しているため、筐体の内部に配設された端子台（図示せず）に対する位置ずれ公差が大きい場合でも公差を吸収できるようになっている。したがって、端子金具Ｔを端子台に確実に接続することができる。
【００１６】
電線固定部材１０は、図２に示すように、アルミダイキャスト製のシールドシェル２０、合成樹脂製のハウジング３０、シリコーン製のゴム栓４０、シリコーン製のゴムリング５０、合成樹脂製の抜け止め部材６０、金属製のかしめリング７０などを備えて構成されている。
【００１７】
シールドシェル２０は横長のシェル本体部２１を有し、このシェル本体部２１の外周面には、取付フランジ２２が周設されている。取付フランジ２２は、シェル本体部２１の前端側（筐体に近い側）に配されている。取付フランジ２２の幅方向両側には、一対の固定孔２３，２３が前後方向に貫通する形態で形成されている。シェル本体部２１には、一対の装着孔２４，２４が前後方向に貫通する形態で形成されている。
【００１８】
装着孔２４は、図７および図８に示すように、前側に配された大径の孔と、この孔の後方に連なる小径の孔とからなる。この小径の孔の内周面は、後方へ向かうほど装着孔２４の軸心側に近づく傾斜面２４Ａとして構成されている。装着孔２４の小径の孔には、抜け止め部材６０の後述する保持筒部６１が装着されている。一方、装着孔２４の大径の孔には、抜け止め部材６０を保持するハウジング３０の後端部と、その内部に保持された後述するリテーナ６２とが装着されており、このリテーナ６２によってゴム栓４０が後方から抜け止めされている。
【００１９】
シェル本体部２１の外周面には、かしめリング７０が圧着される圧着溝２５が全周に亘って形成されている。この圧着溝２５に筒状の編組線（図示せず）を被せた上で、かしめリング７０をかしめることにより、編組線とシェル本体部２１が導通可能に固着される。編組線は、複数の電線Ｗを一括して覆うように構成されており、複数の電線Ｗからなる導電路を一括してシールドすることができるようになっている。なお、シェル本体部２１の前面における下端部には、筐体に設けられた凹部に嵌合することでシールドシェル２０の位置決めおよび回り止めを行うピン２６が前方に突出して設けられている。
【００２０】
ハウジング３０は電線Ｗの本数に対応して複数設けられ、各ハウジング３０は全体として略円筒形状をなし、シールドシェル２０の各装着孔２４に個別に装着可能とされている。ハウジング３０の内部には、電線Ｗを挿通可能な電線挿通孔３１が前後方向に貫通して形成されている。
【００２１】
ハウジング３０は、筐体に穿設された取付孔に嵌合可能な嵌合部３２と、ゴム栓４０を収容する収容空間を有する収容部３３とを備えて構成されている。この嵌合部３２の内部には、電線Ｗを通す通し孔３２Ａが前後方向に貫通して形成されている。すなわち、収容部３３の収容空間と通し孔３２Ａとによって、電線挿通孔３１が構成されている。言い換えると、収容部３３の収容空間は、通し孔３２Ａを介して筐体の内部空間と連通しており、これらの連通部として前後方向に延びる電線挿通孔３１が形成されている。
【００２２】
収容部３３の収容空間には、ゴム栓４０が装着されている。このゴム栓４０は、電線Ｗの外周面に全周に亘って密着する内周シール面４１と、収容部３３の内周面に全周に亘って密着する複数条の外周リップ４２とを備えている。このため、ゴム栓４０が収容部３３の収容空間に収容されると、ゴム栓４０の内周シール面４１と外周リップ４２によってハウジング３０の内部に水が浸入することを規制できる。また、ゴム栓４０は、抜け止め部材６０のリテーナ６２によって後方から抜け止めされているため、収容部３３の収容空間に保持される。
【００２３】
嵌合部３２の外周面には、ゴムリング５０が嵌着可能とされた嵌着溝３６が全周に亘って凹設されている。ゴムリング５０は円筒状をなし、嵌着溝３６の底面に全周に亘って密着する複数条の内周リップ５１と、筐体の取付孔の内周面に全周に亘って密着する複数条の外周リップ５２とを備えて構成されている。ハウジング３０を筐体の取付孔に嵌合すると、ゴムリング５０により筐体の内部が液密状にシールされる。そして、筐体の内部空間は、ゴム栓４０によるシールとゴムリング５０によるシールとによってシール状態に保持される。
【００２４】
ハウジング３０の後端部における幅方向両側には、図３に示すように、一対の係止突起３８，３８が形成されている。一方、シールドシェル２０の装着孔２４の内部における幅方向両側には、図６に示すように、各係止突起３８，３８と前後方向に係止する一対の被係止突起２７，２７が形成されている。各被係止突起２７，２７は、シールドシェル２０の後方に臨んで配されている。各係止突起３８，３８が各被係止突起２７，２７と当接することにより、各ハウジング３０が各装着孔２４に保持される。
【００２５】
さて、電線Ｗは、抜け止め部材６０をシールドシェル２０に組み付けることによって固定されている。この抜け止め部材６０は合成樹脂製であって、電線Ｗに外嵌される円筒形の保持筒部６１と、この保持筒部６１の前端部に形成された平板状のリテーナ６２とを備えて構成されている。リテーナ６２は、保持筒部６１よりも一回り大きい形状とされている。保持筒部６１とリテーナ６２は、ほぼ同軸に配置されている。
【００２６】
リテーナ６２は、収容部３３の収容空間に後方から嵌合可能とされている。リテーナ６２には、上下一対の係止片６３，６３が設けられており、各係止片６３，６３が、収容部３３の後端部に形成された上下一対の係止孔３４，３４に嵌まり込んで前後方向に係止する。これにより、リテーナ６２が収容部３３の収容空間（電線挿通孔３１）に嵌合した状態に保持される。なお、抜け止め部材６０が装着孔２４に装着された状態では、保持筒部６１の後端が装着孔２４の後端からわずかに後方に突出している。これにより、電線Ｗが装着孔２４の後端開口縁部に接触して損傷することを回避している。
【００２７】
保持筒部６１には、図９および図１１に示すように、４つの可動片６４が電線Ｗを中心として周方向に等角度間隔で配設されている。これらの可動片６４は、保持筒部６１の前後長において半分以上の長さを有し、隣り合う可動片６４，６４の間に形成されたスリットＳによって互いに分割されている。各可動片６４の内面における前側には、絞り部６５が形成されており、これらの絞り部６５は、電線Ｗの外周面に沿って周方向に並んで形成されている。
【００２８】
可動片６４は前方に突出する片持ち状をなしており、図９および図１０に示すように、保持筒部６１を装着孔２４に挿入することで傾斜面２４Ａと係合し、可動片６４の先端部が装着孔２４の軸心側に移動するようになっている。この結果、可動片６４の絞り部６５が電線Ｗの絶縁被覆を押圧するため、電線Ｗが保持筒部６１に保持されることになる。絞り部６５の突出高さは、電線Ｗの絶縁被覆の厚さと同じかこれよりも小さめとされているため、電線Ｗの絶縁被覆が破れることはない。
【００２９】
また、各可動片６４が装着孔２４の傾斜面２４Ａによって径方向内側に移動した状態では、図１２に示すように、各スリットＳの幅（装着孔２４の周方向における寸法）が狭められて各絞り部６５がほぼ隙間なく周方向に並んで配されることになる。したがって、電線Ｗは、各絞り部６５によってほぼ全周に亘って覆われた状態となり、電線Ｗが各可動片６４によって強固に保持される。この場合であっても、電線Ｗの絶縁被覆を押圧する絞り部６５は合成樹脂製とされているため、電線Ｗが強く引っ張られるなどして絶縁被覆に強い力がかかっても、絞り部６５が絶縁被覆に対してわずかに滑ることにより、絶縁被覆が破れることを規制できる。これにより、電線Ｗの内部に水が浸入することを防ぐことができる。
【００３０】
本実施形態は以上のような構成であって、続いてその作用を説明する。まず、図２に示すように、ゴムリング５０，ハウジング３０、ゴム栓４０、抜け止め部材６０、シールドシェル２０、およびかしめリング７０をこの順に電線Ｗに先通ししておく。この後、先通ししておいた電線Ｗの端末において絶縁被覆を皮剥ぎして芯線を露出させ、この芯線に端子金具Ｔを圧着して接続する。
【００３１】
この圧着作業に先立ってあるいはその後に、ゴムリング５０をハウジング３０の嵌着溝３６に嵌着し、ゴム栓４０をハウジング３０の収容部３３の収容空間に収容する。抜け止め部材６０のリテーナ６２を収容部３３の収容空間に後方から組み付け、保持筒部６１を装着孔２４に挿入する。このとき、各可動片６４は、傾斜面２４Ａと係合することで装着孔２４の軸心側へ移動し、電線Ｗの絶縁被覆に食い込む。これにより、電線Ｗは、真円形状に近づいた保持筒部６１によってほぼ全周に亘って覆われた状態で固定される。これと同時に、各係止突起３８，３８が各被係止突起２７，２７に当接することで各ハウジング３０がシールドシェル２０の各装着孔２４に前方から装着される。
【００３２】
次に、編組線（図示せず）をシールドシェル２０のシェル本体部２１の外周面に被せてかしめリング７０をかしめることにより、編組線をシェル本体部２１に接続させて固定する。このようにして、電線固定部材１０が完成する。そして、ハウジング３０の嵌合部３２を筐体の取付孔に嵌合させ、取付フランジ２２の固定孔２３にボルトを挿入して筐体側のねじ孔に螺合させることによりシールドシェル２０を筐体に固定する。これにより、電線Ｗは、筐体の取付孔を挿通した状態となって、電線固定部材１０とシールドシェル２０の双方によって筐体に固定される。
【００３３】
以上のように本実施形態では、電線Ｗを保持する抜け止め部材６０を樹脂製とし、可動片６４が装着孔２４の傾斜面２４Ａに係合することで絞り部６５が電線Ｗの絶縁被覆を押圧するようにしたから、電線Ｗの絶縁被覆が破れて内部に水が浸入することを規制できる。また、４つの可動片６４によって電線Ｗをほぼ全周に亘って覆うことができるため、電線Ｗを強固に保持することができる。また、抜け止め部材６０にリテーナ６２を設けてゴム栓４０の抜け止めを行うようにしたから、保持筒部６１による電線保持機能に加えてリテーナ６２によるゴム栓押さえ機能を持たせることができる。
【００３４】
＜他の実施形態＞
本発明は上記記述及び図面によって説明した実施形態に限定されるものではなく、例えば次のような実施形態も本発明の技術的範囲に含まれる。
（１）上記実施形態では、可動片６４が４つ設けられているものの、本発明によると、可動片を１つだけ設けてもよいし、可動片を電線Ｗの両側に２つ設けてもよい。
【００３５】
（２）上記実施形態では、抜け止め部材６０にリテーナ６２を設けているものの、本発明によると、保持筒部のみからなる抜け止め部材としてもよい。
【００３６】
（３）上記実施形態では、各可動片６４によって電線Ｗをほぼ全周に亘って覆う形態としているものの、本発明によると、各可動片６４の間に大きめの隙間を有した状態で電線Ｗを保持してもよい。
【符号の説明】
【００３７】
１０…電線固定部材
２０…シールドシェル
２４…装着孔
２４Ａ…傾斜面
３０…ハウジング
３１…電線挿通孔
３３…収容部
４０…ゴム栓
６０…抜け止め部材
６１…保持筒部
６２…リテーナ
６４…可動片
Ｓ…スリット
Ｗ…電線
【図１】
0005772580.tif 000002
【図２】
0005772580.tif 000003
【図３】
0005772580.tif 000004
【図４】
0005772580.tif 000005
【図５】
0005772580.tif 000006
【図６】
0005772580.tif 000007
【図７】
0005772580.tif 000008
【図８】
0005772580.tif 000009
【図９】
0005772580.tif 000010
【図１０】
0005772580.tif 000011
【図１１】
0005772580.tif 000012
【図１２】
0005772580.tif 000013